(57)【要約】【課題】  個々のユーザの嗜好に基づいた録画番組の推奨を可能とするサーバ装置、携帯端末装置および携帯端末装置の制御プログラムを提供する。【解決手段】  サーバ装置は、録画予約を指示するデータを受信する受信部と、受信したデータに基づいて録画機に対して録画指示を行なう録画指示部と、受信した録画予約を指示するデータを、携帯端末装置を識別する情報と関連付けて履歴情報として記憶する履歴記憶部と、番組情報を記憶する番組記憶部と、履歴記憶部に記憶されている履歴情報に基づいて、携帯端末装置を識別する情報、録画予約がされた番組情報、およびユーザの属性情報から少なくともいずれか二つの組合せの相関を分析し、携帯端末装置に対する推奨番組の候補を選出する相関分析部と、選出された推奨番組の候補を携帯端末装置へ送信する送信部と、を備える。【選択図】  図１
2006304109.tif 000002
【特許請求の範囲】
【請求項１】
携帯端末装置から、録画予約を指示するデータを受信する受信部と、
前記受信したデータに基づいて録画機に対して録画指示を行なう録画指示部と、
前記携帯端末装置から受信した録画予約を指示するデータを、前記携帯端末装置を識別する情報と関連付けて履歴情報として記憶する履歴記憶部と、
番組情報を記憶する番組記憶部と、
前記履歴記憶部に記憶されている履歴情報に基づいて、前記携帯端末装置を識別する情報、録画予約がされた番組情報、およびユーザの属性情報から少なくともいずれか二つの組合せの相関を分析し、前記携帯端末装置に対する推奨番組の候補を選出する相関分析部と、
前記選出された推奨番組の候補を前記携帯端末装置へ送信する送信部と、を備えることを特徴とするサーバ装置。
【請求項２】
番組録画予約の指示を行なう携帯端末装置であって、
ユーザの操作を契機として、番組の録画予約を指示するデータを入力する操作部と、
前記操作部から入力された番組の録画予約を指示するデータをサーバ装置へ送信する一方、サーバ装置から推奨番組の候補を受信する送受信部と、
前記受信した推奨番組の候補を画面に表示する表示部と、を備えることを特徴とする携帯端末装置。
【請求項３】
前記操作部から入力された番組の録画予約を指示するデータを、直接録画機に対して無線を介して送信する近距離無線通信部と、
前記録画予約を指示するデータを記憶する記憶部と、を備え、
前記送受信部は、前記記憶部に記憶されている録画予約を指示するデータをサーバ装置へ送信することを特徴とする請求項２記載の携帯端末装置。
【請求項４】
番組録画予約の指示を行なう携帯端末装置の制御プログラムであって、
ユーザの操作を契機として、操作部によって番組の録画予約を指示するデータを入力する処理と、
送受信部によって前記入力された番組の録画予約を指示するデータをサーバ装置へ送信する処理と、
送受信部によって前記サーバ装置から推奨番組の候補を受信する処理と、
表示部によって前記受信した推奨番組の候補を画面に表示する処理と、を含む一連の処理をコンピュータ読み取りおよび実行可能にコマンド化させたことを特徴とする携帯端末装置の制御プログラム。
【請求項５】
近距離無線通信部によって前記入力された番組の録画予約を指示するデータを、直接録画機に対して無線を介して送信する処理と、
記憶部によって前記録画予約を指示するデータを記憶する処理と、
前記送受信部によって前記記憶部に記憶されている録画予約を指示するデータをサーバ装置へ送信する処理と、を更に含むことを特徴とする請求項５記載の携帯端末装置の制御プログラム。
【発明の詳細な説明】
【技術分野】
【０００１】
本発明は、番組録画に用いられるサーバ装置、携帯端末装置および携帯端末装置の制御プログラムに関する。
【背景技術】
【０００２】
近年、録画番組を推奨する機能が付加されたハードディスクレコーダが市販されている。この機能は、ハードディスクレコーダで録画予約の履歴を記録しておき、次に録画予約をする際に、例えば録画予約の頻度の高い順に番組の候補を示すものである。
【０００３】
また、このような録画を推奨する機能を携帯端末によるＥＰＧの利用に関連付ける技術も存在する。たとえば、特許文献１に記載されるテレビ番組視聴を行なう機構では、高機能携帯端末にＥＰＧデータが格納されており、利用者はこの情報を参照しながらテレビ番組を選択し視聴する。高機能携帯端末に内蔵された記憶媒体には利用者が行った番組選択の番組ヒストリが蓄積されており、番組ヒストリにはテレビ視聴者の視聴行動すなわち、視聴した番組のチャンネル、時間等が細かく記録されている。このヒストリとＥＰＧデータすなわち、あるチャンネルにおいてある時間に放送されていた番組がいかなる内容を持つものかという情報を結合させ、高機能携帯端末において解析することで、利用者向けのレコメンドサービスが提供される。
【特許文献１】特開２００２−１３５８１０号公報
【発明の開示】
【発明が解決しようとする課題】
【０００４】
しかしながら、このような推奨機能は、そのハードディスクレコーダや高機能携帯端末内でのみ記録された履歴を用いて番組の推奨を行なうローカルな機能であるため、そのハードディスクレコーダまたは高機能携帯端末のユーザ以外はそのような推奨機能を利用することができない。また、参照される履歴は、そのハードディスクレコーダまたは高機能携帯端末のユーザのみの情報となり、推奨される番組が限られる。さらに、一台のハードディスクレコーダを複数のユーザが共用する場合は、各ユーザのそれぞれの嗜好に基づいた録画予約の推奨を行なうことは容易ではない。
【０００５】
本発明は、このような事情に鑑みてなされたものであり、個々のユーザの嗜好に基づいた録画番組の推奨を可能とするサーバ装置、携帯端末装置および携帯端末装置の制御プログラムを提供することを目的とする。
【課題を解決するための手段】
【０００６】
（１）上記の目的を達成するため、本発明のサーバ装置は、携帯端末装置から、録画予約を指示するデータを受信する受信部と、前記受信したデータに基づいて録画機に対して録画指示を行なう録画指示部と、前記携帯端末装置から受信した録画予約を指示するデータを、前記携帯端末装置を識別する情報と関連付けて履歴情報として記憶する履歴記憶部と、番組情報を記憶する番組記憶部と、前記履歴記憶部に記憶されている履歴情報に基づいて、前記携帯端末装置を識別する情報、録画予約がされた番組情報、およびユーザの属性情報から少なくともいずれか二つの組合せの相関を分析し、前記携帯端末装置に対する推奨番組の候補を選出する相関分析部と、前記選出された推奨番組の候補を前記携帯端末装置へ送信する送信部と、を備えることを特徴としている。
【０００７】
これにより、録画予約の履歴情報がサーバ装置に蓄積され、その情報に基づいて、録画予約すべき番組に関する情報が携帯端末装置に表示されるので、ユーザの嗜好に沿った番組の予約を推奨することができる。また、複数ユーザの履歴から推奨番組を選定可能であり、推奨番組の範囲が広がる。また、異なる携帯端末装置のユーザであっても、録画機を共有してそれぞれのユーザごとに推奨機能を利用した録画予約が可能になる。
【０００８】
（２）また、本発明の携帯端末装置は、番組録画予約の指示を行なう携帯端末装置であって、ユーザの操作を契機として、番組の録画予約を指示するデータを入力する操作部と、前記操作部から入力された番組の録画予約を指示するデータをサーバ装置へ送信する一方、サーバ装置から推奨番組の候補を受信する送受信部と、前記受信した推奨番組の候補を画面に表示する表示部と、を備えることを特徴としている。
【０００９】
これにより、録画予約の履歴情報がサーバ装置に蓄積され、その情報に基づいて、録画予約すべき番組に関する情報が携帯端末装置に表示されるので、ユーザの嗜好に沿った番組の予約を推奨することができる。また、複数ユーザの履歴から推奨番組を選定可能であり、推奨番組の範囲が広がる。また、異なる携帯端末装置のユーザであっても、録画機を共有してそれぞれのユーザごとに推奨機能を利用した録画予約が可能になる。
【００１０】
（３）また、本発明の携帯端末装置は、前記操作部から入力された番組の録画予約を指示するデータを、直接録画機に対して無線を介して送信する近距離無線通信部と、前記録画予約を指示するデータを記憶する記憶部と、を備え、前記送受信部は、前記記憶部に記憶されている録画予約を指示するデータをサーバ装置へ送信することを特徴としている。
【００１１】
このように近距離無線通信により、直接、録画機に対して録画予約を行なうとともに、サーバ装置に対しても録画予約を指示するデータを送信するため、サーバ装置は履歴情報を蓄積し番組の推奨が可能となる。すなわち、録画予約方法の選択の幅を広げつつ、録画予約の履歴情報を収集し、録画予約すべき番組に関する情報を表示し、ユーザの嗜好に沿った番組の予約を推奨することができる。
【００１２】
（４）また、本発明の携帯端末装置の制御プログラムは、番組録画予約の指示を行なう携帯端末装置の制御プログラムであって、ユーザの操作を契機として、操作部によって番組の録画予約を指示するデータを入力する処理と、送受信部によって前記入力された番組の録画予約を指示するデータをサーバ装置へ送信する処理と、送受信部によって前記サーバ装置から推奨番組の候補を受信する処理と、表示部によって前記受信した推奨番組の候補を画面に表示する処理と、を含む一連の処理をコンピュータ読み取りおよび実行可能にコマンド化させたことを特徴としている。
【００１３】
これにより、録画予約の履歴情報がサーバ装置に蓄積され、その情報に基づいて、録画予約すべき番組に関する情報が携帯端末装置に表示されるので、ユーザの嗜好に沿った番組の予約を推奨することができる。また、複数ユーザの履歴から推奨番組を選定可能であり、推奨番組の範囲が広がる。また、異なる携帯端末装置のユーザであっても、録画機を共有してそれぞれのユーザごとに推奨機能を利用した録画予約が可能になる。
【００１４】
（５）また、本発明の携帯端末装置の制御プログラムは、近距離無線通信部によって前記入力された番組の録画予約を指示するデータを、直接録画機に対して無線を介して送信する処理と、記憶部によって前記録画予約を指示するデータを記憶する処理と、前記送受信部によって前記記憶部に記憶されている録画予約を指示するデータをサーバ装置へ送信する処理と、を更に含むことを特徴としている。
【００１５】
このように近距離無線通信により、直接、録画機に対して録画予約を行なうとともに、サーバ装置に対しても録画予約を指示するデータを送信するため、サーバ装置は履歴情報を蓄積し番組の推奨が可能となる。すなわち、録画予約方法の選択の幅を広げつつ、録画予約の履歴情報を収集し、録画予約すべき番組に関する情報を表示し、ユーザの嗜好に沿った番組の予約を推奨することができる。
【発明の効果】
【００１６】
本発明のサーバ装置によれば、録画予約の履歴情報がサーバ装置に蓄積され、その情報に基づいて、録画予約すべき番組に関する情報が携帯端末装置に表示されるので、ユーザの嗜好に沿った番組の予約を推奨することができる。また、複数ユーザの履歴から推奨番組を選定可能であり、推奨番組の範囲が広がる。また、異なる携帯端末装置のユーザであっても、録画機を共有してそれぞれのユーザごとに推奨機能を利用した録画予約が可能になる。
【００１７】
また、本発明の携帯電話機によれば、録画予約の履歴情報がサーバ装置に蓄積され、その情報に基づいて、録画予約すべき番組に関する情報が携帯端末装置に表示されるので、ユーザの嗜好に沿った番組の予約を推奨することができる。また、複数ユーザの履歴から推奨番組を選定可能であり、推奨番組の範囲が広がる。また、異なる携帯端末装置のユーザであっても、録画機を共有してそれぞれのユーザごとに推奨機能を利用した録画予約が可能になる。
【００１８】
また、本発明の携帯電話機によれば、近距離無線通信により、直接、録画機に対して録画予約を行なうとともに、サーバ装置に対しても録画予約を指示するデータを送信するため、サーバ装置は履歴情報を蓄積し番組の推奨が可能となる。すなわち、録画予約方法の選択の幅を広げつつ、録画予約の履歴情報を収集し、録画予約すべき番組に関する情報を表示し、ユーザの嗜好に沿った番組の予約を推奨することができる。
【００１９】
また、本発明の携帯電話機の制御プログラムによれば、録画予約の履歴情報がサーバ装置に蓄積され、その情報に基づいて、録画予約すべき番組に関する情報が携帯端末装置に表示されるので、ユーザの嗜好に沿った番組の予約を推奨することができる。また、異なる携帯端末装置のユーザであっても、録画機を共有してそれぞれのユーザごとに推奨機能を利用した録画予約が可能になる。
【００２０】
また、本発明の携帯電話機の制御プログラムによれば、近距離無線通信により、直接、録画機に対して録画予約を行なうとともに、サーバ装置に対しても録画予約を指示するデータを送信するため、サーバ装置による履歴情報を蓄積し番組の推奨が可能となる。すなわち、録画予約方法の選択の幅を広げつつ、録画予約の履歴情報を収集し、録画予約すべき番組に関する情報を表示し、ユーザの嗜好に沿った番組の予約を推奨することができる。
【発明を実施するための最良の形態】
【００２１】
次に、本発明の実施の形態について、図面を参照しながら説明する。
【００２２】
図１は、録画予約システム１を示す概念図である。録画予約システム１は、携帯電話機１０、サーバ装置２０および録画機３０から構成されている。携帯電話機１０、サーバ装置２０および録画機３０は、インターネット４０、すなわち電気通信網に接続している。
【００２３】
図２は、携帯電話機１０のブロック図である。図２に示すように、携帯端末装置としての携帯電話機１０は、操作部１１、送受信部１２、表示部１３、近距離無線通信部１４、記憶部１５、制御部１６および制御バスＬ１から構成されている。携帯電話機１０は、番組録画予約の指示を行なうのに用いられる。なお、携帯端末装置は、携帯電話機の他に広くＰＤＡ等を含む。
【００２４】
操作部１１は、ボタンの組合せにより形成されており、ボタンは標準の配列に従って配列されている。操作部１１は、ユーザの操作を契機として、番組の録画予約を指示するデータを入力する。すなわち、操作部１１のボタンを操作することにより、録画予約プログラムの開始操作、予約方法の選択操作、予約操作等を行なうことが可能となっている。
【００２５】
送受信部１２は、通信インターフェースにより構成され、インターネット４０に接続されている。送受信部１２は、データまたは信号の送受信を行なう。具体的には、操作部１１から入力された番組の録画予約を指示するデータをサーバ装置２０へ送信する一方、サーバ装置２０から推奨番組の候補のデータを受信する。また、直接、録画機３０に録画予約を指示する場合には、履歴を残すため、記憶部１５に記憶されている録画予約を指示するデータをサーバ装置へ送信する。
【００２６】
表示部１３は、液晶ディスプレイにより構成され、たとえば、受信した推奨番組の候補を表示する。表示部１３は、液晶ディスプレイ以外に有機Ｅディスプレイまたはプラズマディスプレイ等により構成されていてもよい。
【００２７】
近距離無線通信部１４は、近距離無線の通信インターフェースにより構成されている。近距離無線通信部１４は、操作部１１から入力された番組の録画予約を指示するデータを、直接に録画機３０に対して近距離無線を介して送信する。なお、近距離無線とは、近距離において電線を介さずに行なう通信手段を意味し、たとえば赤外線領域の電磁波を含む。
【００２８】
記憶部１５は、メモリにより構成されデータを記憶する。たとえば、近距離無線通信により録画機３０に直接録画予約を指示したときには、録画予約を指示するデータを記憶する。制御部１６は、ＣＰＵにより構成され、各部の動作を制御する。制御バスＬ１は、各部間の信号やデータの送受に用いられる幹線を概念的に示したものである。
【００２９】
図３は、サーバ装置２０のブロック図である。図３に示すように、サーバ装置２０は、送受信部２１、録画指示部２２、履歴記憶部２３、番組記憶部２４、相関分析部２５、制御部２６および制御バスＬ２から構成されている。
【００３０】
送受信部２１は、通信インターフェースにより構成され、インターネットを介して信号やデータの通信を行なう。送受信部２１は、たとえば選出された推奨番組の候補を携帯電話機１０へ送信するとともに、携帯電話機１０から、録画予約を指示するデータを受信する。録画指示部２２は、ＣＰＵにより構成され、受信したデータに基づいて録画機３０に対して録画指示を行なう。
【００３１】
履歴記憶部２３は、メモリにより構成され、携帯電話機１０から受信した録画予約を指示するデータを、携帯電話機１０を識別する情報と関連付けて履歴情報として記憶する。また、履歴記憶部２３は、携帯電話機１０から受信した録画予約を指示するデータを、携帯電話機１０を識別する情報と関連付けて履歴情報として記憶する。番組記憶部２４は、メモリにより構成され、番組情報を記憶する。
【００３２】
相関分析部２５は、ＣＰＵにより構成され、履歴記憶部２３に記憶されている履歴情報および番組記憶部２４に記憶される番組情報に基づいて、携帯電話機１０を識別する情報、録画予約がされた番組情報、およびユーザの属性情報から少なくともいずれか二つの組合せの相関を分析し、携帯電話機１０に対する推奨番組の候補を選出する。
【００３３】
たとえば、相関分析部２５は、番組Ａを録画予約したユーザは、番組Ｂをよく録画予約するなどの相関を計算する。また、各携帯電話機のユーザ属性（ユーザ情報）と録画予約の相関、例えば、女性は番組Ｃをよく利用するという相関を計算する。その結果、例えば、男性で、番組Ｄを録画予約するユーザは、番組Ｅをも録画予約する傾向が強いという相関関係が算出される。
【００３４】
また、相関分析部２５は、このような相関分析に基づき、推奨番組の候補を選出する。すなわち、番組を推奨しようとするユーザのデータを、算出した相関関係に当てはめて、ユーザの嗜好に合いそうな推奨番組の候補を複数選出する。
【００３５】
これにより、ユーザの嗜好に沿った番組の予約を推奨することができる。また、複数ユーザの履歴から推奨番組を選定可能であり、推奨番組の範囲が広がる。また、異なる携帯電話機のユーザであっても、録画機３０を共有してそれぞれのユーザごとに推奨機能を利用した録画予約が可能になる。なお、ユーザ属性に関連して、除外条件を設定しておき、さらに推奨番組を絞り込んでもよい。また、推奨する番組が特定のジャンルに偏ることを防止するため、候補となった推奨番組のうち、順位が上位である番組からランダムに複数の番組を抽出してもよい。制御部２６は、ＣＰＵにより構成され、各部の動作を制御する。制御バスＬ２は、各部間の信号やデータの送受に用いられる幹線を概念的に示したものである。
【００３６】
図４は、録画機３０のブロック図である。図４に示すように、録画機３０は、送受信部３１、近距離無線通信部３２、記憶部３３、ハードディスクレコーダ３４、制御部３５、および制御バスＬ３から構成されている。
【００３７】
送受信部３１は、通信インターフェースにより構成され、インターネット４０に接続されている。送受信部３１は、信号やデータの送受信を行なう。送受信部３１は、たとえばサーバ装置２０からの録画指示のデータを受信する。また、録画の設定が完了したときには完了通知のデータをサーバ装置２０または携帯電話機１０に送信する。
【００３８】
近距離無線通信部３２は、近距離無線の通信インターフェースにより構成されている。近距離無線通信部３２は、たとえば、携帯電話機１０からの近距離無線通信による録画指示のデータを受信する。記憶部３３は、メモリにより構成され、サーバ装置２０または携帯電話機１０からの録画指示のデータを記憶する。
【００３９】
ハードディスクレコーダ３４は、ハードディスクに番組を録画する装置である。ハードディスクレコーダ３４に代えて、ビデオレコーダやＤＶＤレコーダ等の外部記憶装置であってもよい。制御部３５は、ＣＰＵにより構成され、各部の動作を制御する。たとえば、記憶部３３に記憶される録画指示に従い、ハードディスクレコーダ３４に番組を録画させる。制御バスＬ３は、各部間の信号やデータの送受に用いられる幹線を概念的に示したものである。
【００４０】
次に録画予約システム１の動作を、携帯電話機１０の動作に従って説明する。
【００４１】
図５は、録画予約に関する携帯電話機１０の制御プログラムの一例を示すフローチャートである。携帯電話機１０は、ユーザの操作を受付可能な状態である。携帯電話機１０は、ユーザの操作により、図６の画面の表示例に示されるように、録画予約プログラムの開始を選択可能な状態にある。図５に示すように、まず携帯電話機１０では、制御部１６が録画予約の開始操作があったか否かの判断を行なう（ステップＳ１）。録画予約の開始操作とは、たとえば、図６において「録画予約」の領域５０にカーソルを合わせ、「起動」のボタンを押す操作をいう。録画予約の開始操作がなかった場合には、ステップＳ１に戻る。
【００４２】
録画予約の開始操作があった場合には、たとえば、図７に示す画面表示がなされ、推奨番組の表示の選択が可能になる。図７の表示例においては、推奨番組の表示を選択したいときには、「レコメンド」の領域５１にカーソルを合わせ「選択」のボタンを押す操作を行なう。制御部１６は、推奨番組の表示を選択する操作があったか否かを判断する（ステップＳ２）。推奨番組の表示を選択する操作がなかった場合には、ステップＳ５に移る。推奨番組の表示を選択する操作があった場合には、携帯電話機１０は、サーバ装置２０に推奨番組の候補の要求信号を送信する。
【００４３】
サーバ装置２０は、インターネット４０を介し、携帯電話機１０からの推奨番組の候補の要求信号を受信する。サーバ装置２０では、携帯電話機１０を特定し、携帯電話機１０に関連付けられた推奨番組の候補のデータを番組記憶部２４から読み出し、携帯電話機１０に送信する。そして、携帯電話機１０は、サーバ装置２０から推奨番組の候補のデータを受信し（ステップＳ３）、推奨番組の候補を表示部１３に表示する（ステップＳ４）。
【００４４】
次に、携帯電話機１０では、制御部１６が録画予約を指示する操作によりデータの入力があったか否かを判断する（ステップＳ５）。録画予約を指示する操作とは、たとえば図７の画面表示例において、「予約」の領域５２にカーソルを合わせて、「選択」のボタンを押す操作をすることをいう。なお、図７の画面表示例では、録画予約の状態を確認するために「確認」の領域５３も設けられている。
【００４５】
録画予約を指示する操作がなかったときには、ステップＳ２に戻る。録画予約を指示する操作があったときには、たとえば携帯電話機１０の表示部１３に図８に示す表示例が表示される。ユーザは、操作部１１を操作することにより、録画予約に必要なデータを入力することが可能になっている。図８に示す表示例では、チャンネル、繰り返し録画の有無、録画の日付、録画開始時刻、録画終了時刻および画質が設定可能であることが示されている。
【００４６】
また、図８の表示例においては、近距離無線通信により録画機３０へ直接録画予約を行なうか、インターネット４０によりサーバ装置２０を介して録画予約をするかを選択可能であることが表示されている。すなわち、録画機３０へ直接録画予約を行なう場合には、「録画機へ予約」の領域６１にカーソルを合わせて、「選択」のボタンを押すことになる。また、インターネット４０によりサーバ装置を介して録画予約をする場合には、「サーバ装置へ予約」の領域６２にカーソルを合わせて、「選択」のボタンを押すことになる。制御部１６は、録画機３０への送信操作があったか否かを判断する（ステップＳ６）。録画機３０への送信操作がなかったときには、サーバ装置２０への送信操作があったか否かを判断する（ステップＳ７）。サーバ装置２０への送信操作がなかったときには、ステップＳ６に戻る。サーバ装置２０への送信操作があったときには、録画予約を指示するデータをサーバ装置２０へ送信する（ステップＳ８）。
【００４７】
サーバ装置２０は、インターネット４０を介し、携帯電話機１０から録画予約を指示するデータを受信する。サーバ装置２０において、録画指示部２２は、受信した録画予約を指示するデータに基づいて録画機３０に対して録画指示を行ない、その一方で、履歴記憶部２３に履歴情報として録画指示を記憶させる。相関分析部２５は、更新された履歴および相関分析の結果に基づいて推奨番組を選定し、番組記憶部２４にそのデータを記憶させる。制御部２６は、推奨番組要求信号を受信したとき等の適当な機会に推奨番組のデータを携帯電話機１０に送信する。
【００４８】
録画機３０は、サーバ装置２０から録画指示のデータを受信し、その制御部３５は、録画指示のデータを記憶部３３に記憶させ、録画指示に従って録画予約が完了したことを通知する完了信号を携帯電話機１０に送信する。制御部３５は、記憶部３３に記憶された録画指示のデータに基づいてハードディスクレコーダ３４に録画を行なわせる。
【００４９】
一方、携帯電話機１０で録画機３０への送信操作があったときには、携帯電話機１０は録画予約を指示するデータを近距離無線により録画機３０へ送信する（ステップＳ９）。録画機３０は、携帯電話機１０から、直接、近距離無線により録画指示のデータを受信し、その制御部３５は、録画指示のデータを記憶部３３に記憶させ、録画指示に従って録画予約が完了したことを通知する完了信号を携帯電話機１０に送信する。制御部３５は、記憶部３３に記憶された録画指示のデータに基づいてハードディスクレコーダ３４に録画を行なわせる。
【００５０】
携帯電話機１０では、別途、制御部１６が録画予約を指示するデータを記憶部１５に記憶させ（ステップＳ１０）、記憶部１５が記憶する録画予約を指示するデータをサーバ装置２０に送信する（ステップＳ１１）。このように近距離無線通信により、直接、録画機３０に対して録画予約を行なうとともに、サーバ装置２０に対しても録画予約を指示するデータを送信するため、サーバ装置２０は履歴情報を蓄積し番組の推奨が可能となる。すなわち、録画予約方法の選択の幅を広げつつ、録画予約の履歴情報を収集し、録画予約すべき番組に関する情報を表示し、ユーザの嗜好に沿った番組の予約を推奨することができる。
【００５１】
なお、この場合の録画予約を指示するデータをサーバ装置２０に送信するタイミングは、ステップＳ１０の直後であってもよいし、定期的に送信するものとしてもよい。このとき、録画予約を指示するデータを受信したサーバ装置２０は、履歴記憶部２３に録画指示を履歴情報として記憶させる。相関分析部２５は、更新された履歴に基づいて携帯電話機１０のユーザと番組の相関分析を行ない、ユーザと番組との相関に基づいて推奨番組を選定し、番組記憶部２４にそのデータを記憶させる。制御部２６は、推奨番組要求信号を受信したとき等の適当な機会に推奨番組のデータを携帯電話機１０に送信する。
【図面の簡単な説明】
【００５２】
【図１】録画予約システムの構成を示す概念図である。
【図２】本発明に係る携帯端末装置（携帯電話機）の構成を示すブロック図である。
【図３】本発明に係るサーバ装置の構成を示すブロック図である。
【図４】録画機の構成を示すブロック図である。
【図５】本発明に係る携帯端末装置（携帯電話機）の制御プログラムを示すフローチャートである。
【図６】本発明に係る携帯端末装置（携帯電話機）の画面表示例である。
【図７】本発明に係る携帯端末装置（携帯電話機）の画面表示例である。
【図８】本発明に係る携帯端末装置（携帯電話機）の画面表示例である。
【符号の説明】
【００５３】
１  録画予約システム
１０  携帯電話機（携帯端末装置）
１１  操作部
１２  送受信部
１３  表示部
１４  近距離無線通信部
１５  記憶部
１６  制御部
Ｌ１  制御バス
２０  サーバ装置
２１  送受信部
２２  録画指示部
２３  履歴記憶部
２４  番組記憶部
２５  相関分析部
２６  制御部
Ｌ２  制御バス
３０  録画機
３１  送受信部
３２  近距離無線通信部
３３  記憶部
３３  操作部
３４  ハードディスクレコーダ
３５  制御部
Ｌ３  制御バス
５０  「録画予約」の領域
５１  「レコメンド」の領域
５２  「予約」の領域
５３  「確認」の領域
６１  「録画機へ予約」の領域
６２  「サーバ装置へ予約」の領域
【図１】
2006304109.tif 000003
【図２】
2006304109.tif 000004
【図３】
2006304109.tif 000005
【図４】
2006304109.tif 000006
【図５】
2006304109.tif 000007
【図６】
2006304109.tif 000008
【図７】
2006304109.tif 000009
【図８】
2006304109.tif 000010